(57)【要約】【課題】  複数枚のサブトレイを段積みして収容したメイントレイを備え、該メイントレイが本体フレームから搬出された場合には載置したサブトレイがロックされ、メイントレイが後退して本体フレームに収容された場合にはサブトレイのロックが解除されるようにした保持機構を備えたディスクチェンジャーであって、保持機構の構造が簡単で、コンパクトなディスクチェンジャーであっても適用出来る保持機構を備えたディスクチェンジャーの提供。【解決手段】  メイントレイ２の片側先端にはロック部材９を上下動可能に取付けると共に上方向へバネ力を付勢し、ロック部材９にはメイントレイ２に載置されて搬出するサブトレイ３に係止してロックするツメ１６を形成している。本体フレーム１のメイントレイ２の入口付近にはロック部材９のロックを解除するカム３０を備えている。【選択図】    図１３
2005190550.tif 000002
【特許請求の範囲】
【請求項１】
複数枚のサブトレイを段積みして収容したメイントレイを備え、該メイントレイが本体フレームから搬出された場合には載置したサブトレイがロックされ、メイントレイが後退して本体フレームに収容された場合にはサブトレイのロックが解除されるようにした保持機構を備えたディスクチェンジャーにおいて、メイントレイの片側先端にはロック部材を上下動可能に取付けると共に何れかの方向へバネ力を付勢し、ロック部材にはメイントレイに載置されて搬出するサブトレイに係止してロックするツメを形成し、本体フレームのメイントレイの入口付近にはロック部材のロックを解除するカムを備えたことを特徴とするサブトレイの保持機構を備えたディスクチェンジャー。
【請求項２】
上記メイントレイは、一方側レールとベースを形成した他方側レールを連結して構成し、ロック部材を一方側レール先端とベース外側先端に起立した支持部との間で挟み込んで上下動可能に取付けた請求項１記載のサブトレイの保持機構を備えたディスクチェンジャー。
【請求項３】
上記ロック部材は基板から延びるアーム先端にＬ型ツメを形成し、又スプリングのバネ片が係止する係止片を設け、そしてベース先端コーナーに起立した支持部外側から突出するガイドピンが嵌るガイド穴を形成し、さらに基板外側へ突出してレール先端に設けたガイド穴に嵌ると共に本体フレームの入口付近に設けたカムに係合するガイドピンを設けた請求項２記載のサブトレイの保持機構を備えたディスクチェンジャー。
【発明の詳細な説明】
【技術分野】
【０００１】
本発明はサブトレイを載置した状態で搬出したメイントレイ上での該サブトレイが位置ズレしないように、位置決め保持する機構を備えたディスクチェンジャーに関するものである。
【背景技術】
【０００２】
ディスクチェンジャーとは、ＣＤ等の光ディスク記録媒体を複数枚収納することが出来、収納されている複数枚の光ディスク記録媒体の１枚を選択して記録及び再生を行なうことが出来、この種のディスクチェンジャー装置は広く使用され、その形態も色々ある。ところで、ディスクチェンジャーは複数枚のディスクを収容し、これを選択して記録・再生が行われ、収容されるディスクは必要に応じて交換しなくてはならない。
【０００３】
図１はディスクチェンジャーの一部外観図を示し、メイントレイが一部引き出されている場合を示している。同図の１は本体フレーム、２はメイントレイ、３はサブトレイを各々示し、３枚のサブトレイ３ａ，３ｂ，３ｃはメイントレイ２に積み重ねられて収容されている。そして、サブトレイ３ａ，３ｂ，３ｃには大小２種類のディスクが載置出来るように、同心を成した外周縁４ａ，４ｂが段差をもって形成されている。
【０００４】
そして、各サブトレイ３ａ，３ｂ，３ｃにディスクを載置する場合、又ディスクを取外す場合には、上側に位置するサブトレイはロックされて本体フレーム１に止まり、下側に位置するサブトレイと共にメイントレイ２がディスク交換位置へ搬送される。このように、サブトレイ３ａ，３ｂ，３ｃはメイントレイ２に収容されて、該メイントレイ２と共に本体フレーム１からの出し入れが行なわれる。
【０００５】
同図はメイントレイ２が突出してディスク交換位置(ディスク取出し位置)とディスク待機位置の間に位置し、該メイントレイ２には2枚のサブトレイ３ｂ，３ｃが収容され、中段に位置するサブトレイ３ｂにディスクを載置することが出来る。そして、ディスク交換位置からメイントレイ２が後退して本体フレーム１に収容され、ディスク待機位置へ搬入される。
【０００６】
下段サブトレイ３ｃに載置されているディスクを交換する際には、上段サブトレイ３ａと中段サブトレイ３ｂは本体フレーム１にロックされ、又上段サブトレイ３ａに載置されているディスク交換を行なう場合には、中段サブトレイ３ｂ又は下段サブトレイ３ｃの何れかがロックされてメイントレイ２によってディスク交換位置へ搬出されない。
【０００７】
ところで、メイントレイ２が突出してディスク交換位置に達したところで、サブトレイ３ｂにディスクを載置する際、サブトレイ３ｂが動くことがないように保持する必要がある。逆に、サブトレイ３ｂに載置してあるディスクを取出す場合も同じであり、同様にサブトレイ３ａ，３ｃへのディスクの載置及び取出しの時も動かないように保持されなくてはならない。
【０００８】
特開平３−２１６８５７号に係る「ディスクプレーヤのローディング機構」はディスクを収納する薄型平板状のサブトレイと、このサブトレイを所定間隔を保って段積みし、収納すると共にディスクプレーヤに引出し自在に取付けられたベーストレイと、前記ベーストレイ及びサブトレイの何れかに選択的に噛合いして、それを一括もしくは選択してディスクプレーヤの外部位置からプレーヤハウジング内部の待機位置まで、往復移動させるトレイ移動機構とからなっている。
【０００９】
そして、サブトレイにレバーが係合する切欠きを入れ、各サブトレイに各々独立したレバーが係合することによりロックされ、ディスクの待機位置のみならず、ディスク交換位置においてもサブトレイがロックされる。しかし、このロック機構はトレイ移動機構と組み合わされている為に複雑であり、部品点数も多くてコスト高になる。
【００１０】
特開２００３−１６７１６号に係る「ディスクプレーヤのキャリッジ係止機構」は、ドロワー(メイントレイ)に対してキャリッジ(サブトレイ)をその一番手前側の係止位置と該係止位置からズレた任意の位置に係止可能にするものであり、ディスクを載置するキャリッジと、キャリッジを摺動可能に収納すると共に装置外へ移動してディスクをイジェクトするドロワーとを備えたディスクプレーヤにおいて、キャリッジのドロワーにガイドされる範囲に係止部材を設け、係止部材の付勢力は係止位置では係止部に、係止位置から外れた位置ではドロワーのガイド部に働くことによりキャリッジの係止位置での係止と係止位置から外れた位置での静止を行うようにしている。
【００１１】
すなわち、各サブトレイに板バネを備え、メイントレイの手前部に形成している切欠き部と係合することでサブトレイを所定位置に保持することが出来る。しかし、サブトレイの下側に板バネを取付けると共に、ガイド溝を形成する必要があり、メイントレイの厚さ寸法が大きく成ってしまい、ディスクチェンジャーは大型化する。
【特許文献１】特開平３−２１６８５７号に係る「ディスクプレーヤのローディング機構」
【特許文献２】特開２００３−１６７１６号に係る「ディスクプレーヤのキャリッジ係止機構」
【発明の開示】
【発明が解決しようとする課題】
【００１２】
このように、従来のディスクチェンジャーにおけるサブトレイの保持機構には上記のごとき問題がある。本発明が解決しようとする課題はこれら問題点であり、極めて簡単な機構でもって、メイントレイに載って搬出されてディスク交換位置にあるサブトレイが動かないようにロックすることが出来る保持機構を備えたディスクチェンジャーを提供する。
【課題を解決するための手段】
【００１３】
本発明のディスクチェンジャーはメイントレイに載置されてディスク交換位置まで突出したサブトレイが移動しないようにロックする保持機構を備えている。メイントレイの先端片側にロック部材を備え、ロック部材には係止ツメを形成し、該係止ツメがサブトレイの側部先端に設けている係止部に係止することでサブトレイがロックされる。すなわち、係止ツメに係止することで後退しないように保持される。
【００１４】
ロック部材にはバネ力が付勢され、メイントレイに載置されて搬出するサブトレイの係止部には常に係止することが出来、メイントレイが後退してディスク装置本体の待機位置に収容されたならば、解除されるように係止ツメはサブトレイの係止部から離れるようになっている。ロック部材は上下方向にスライド可能に取付けられ、上記バネによって何れか一方側に位置してサブトレイの係止部に係止する。
【発明の効果】
【００１５】
本発明のディスクチェンジャーでは、メイントレイにロック部材を上下動可能に取付け、バネ力を付勢することでサブトレイの係止部に係止することが出来る。ロック部材はメイントレイの側部先端に取付けられているが、その構造は簡単であり、メイントレイのサイズを大きくすることなく、又樹脂で成形したロック部材を備えるのみであり、コスト高を招くこともない。
【００１６】
そして、バネ力が付勢されているロック部材の係止ツメはサブトレイの係止部に常に係止してサブトレイをロック・保持することが出来る。一方、メイントレイが後退して待機位置に収容されるならば、上記ロック部材のツメは解除される。
【実施例】
【００１７】
図２はディスクチェンジャーの内部構造図を示している。同図はメイントレイ２が本体フレーム１から引き出された状態であり、ディスクの位置に応じて３つの領域に区分することが出来る。すなわち、同図の手前側からディスク交換位置、ディスク待機位置、及びディスク再生位置に区分され、サブトレイ３ａ，３ｂ，３ｃに各ディスクをセットした状態でメイントレイ２が後退して本体フレーム１に収容されるならば、ディスク待機位置となる。
【００１８】
ディスク待機位置にある各ディスクは、サブトレイ３ａ，３ｂ，３ｃと共に後方のディスク再生位置へ搬送されて、トラバースユニット５のターンテーブル６に装着される。そして、ディスクの記録・再生が行なわれる。その為に、ターンテーブル６を備えているトラバースユニット５を搬送されるサブトレイの位置に合うように垂直方向に移動し、選択して後退した所定のサブトレイ３ａ，３ｂ，３ｃのディスクを装着することが出来る。
【００１９】
ところで、サブトレイ３ａ，３ｂ，３ｃをメイントレイ２と共に搬出して、該サブトレイ３ａ，３ｂ，３ｃに載置されているディスクを交換することが出来るが、本発明はディスクの交換が出来るように所定のサブトレイ３の選択を簡単に行なうことが出来るようにしている。すなわち、上側に位置するサブトレイ３が本体フレーム１にロックされて、メイントレイ２と共にディスク交換位置へ搬出されないように構成している。(詳細は特願２００３−１８４６９３号に係る「ディスクチェンジャーにおけるディスク選択装置」を参照)
ところで、同図に示すようにメイントレイ２に載置されたサブトレイ３ｂ，３ｃはメイントレイ２と共にディスク交換位置に搬出され、サブトレイ３ｂにディスクを載置することが出来る。又、載置されているディスクを取出すことが出来るが、この際にサブトレイ３ｂが後退しないようにロックする為の保持機構がメイントレイ２に備わっている。
【００２０】
図３は上記メイントレイ２を単独で示しているが、メイントレイ２はベース７の両側にレール８ａ，８ｂを後方へ延ばし、両レール８ａ，８ｂの内側にはサブトレイ３ａ，３ｂ，３ｃが載ってスライドするガイドが形成されている。そして、メイントレイ２の片側先端にはロック部材９が取付けられ、該メイントレイ２と共にディスク交換位置へ搬出されたサブトレイ３を後退しないようにロックすることが出来る。
【００２１】
そして、該メイントレイ２はレール８ａとベース７を備えたレール８ｂの２ピースで構成され、該ベース７の側端部はレール８ａに設けている連結片１０ａ，１０ｂを介してネジ止めされている。ここで、上記ロック部材９はレール８ａとベース７とで挟まれた状態で取付けられ、しかも該ロック部材９は上下動可能と成っている。また、レール８ｂには３本の樹脂バネ１１ａ，１１ｂ，１１ｃが形成され、サブトレイ３ａ，３ｂ，３ｃを位置決めすることが出来る。
【００２２】
図４はメイントレイ２がレール８ａ，ベース７を備えたレール８ｂ、及びロック部材９に分離した場合であり、レール８ａとレール８ｂとが組み付けされる際に、ロック部材９はベース７とレール８ａとの間に挟まれる。
【００２３】
図５はメイントレイ２がディスク交換位置へ搬出された場合であり、該メイントレイ２にはサブトレイ３ｂ，３ｃが載置されている。サブトレイ３ａは待機位置にロックされている。この状態でサブトレイ３ｂにディスクを載置する訳であるが、該サブトレイ３ｂは上記ロック部材９によって動かないようにロックされている。勿論、サブトレイ３ｃも同じくロックされている。
【００２４】
図６はメイントレイ２が後退して本体フレーム１に収容された場合である。そして、サブトレイ３ａは再生位置に、サブトレイ３ｂとサブトレイ３ｃは待機位置に位置している。このようにメイントレイ２が後退して本体フレーム１に収容されたならば、上記サブトレイ３ａ，３ｂ，３ｃはロック部材９から解除されるが、自由に動かないようにメイントレイ２に設けている樹脂バネ１１ａ，１１ｂ，１１ｃが係止する。
【００２５】
図７はサブトレイ３を示しているが、片側面１２には凹溝１３ａ，１３ｂ，１３ｃが形成されている。
(１)メイントレイ２が図６のように後退して本体フレーム１に収容された場合、待機位置にあるサブトレイ３ｂ，３ｃには樹脂バネ１１ｂ，１１ｃが凹溝１３ａ、１３ａに係合して該サブトレイ３を位置決めする。
(２)メイントレイ２が後退して本体フレーム１に収容された場合、再生位置にあるサブトレイ３ａには樹脂バネ１１ａが凹溝１３ｂに係合して該サブトレイ３ａを位置決めする。
(３)メイントレイ２が図５に示すようにディスク交換位置に搬出され、サブトレイ３ａが待機位置にある場合、樹脂バネ１１ａは凹溝１３ｃに係合して該サブトレイ３ａを位置決めする。
【００２６】
図８はメイントレイ２のレール８ｂに設けている樹脂バネ１１ａ，１１ｂ，１１ｃの拡大図を示している。撓み変形する樹脂バネ１１ａ，１１ｂ，１１ｃの先端には係合部１４ａ，１４ｂ，１４ｃが突出し、サブトレイ３に形成した上記凹溝１３ａ，１３ｂ，１３ｃに係合することが出来る。
【００２７】
図９はロック部材９を示す具体例である。このロック部材９はメイントレイ２の片側先端に取付けられ、メイントレイ２と共にディスク交換位置へ搬出されたサブトレイ３が動かないようにロックする。該ロック部材９は基板１５からアーム１７ａ，１７ｂ，１７ｃを延ばし、アーム先端にはＬ型をしたツメ１６ａ，１６ｂ，１６ｃを形成している。又基板１５にはＬ型の係止片１８が設けられ、また上下方向へ延びるガイド穴１９を形成している。更に、基板１５の外側にはガイドピン２０が突出している。
【００２８】
図１０ロック部材９がレール８ａとベース７に挟持される前の展開図であり、ベース７のコーナーには支持部２１を起立し、該支持部２１に面してロック部材９が取付けられ、外れないようにレール８ａの先端に設けている挟持板２２によって挟まれる。レール８ａはベース７に連結片１０ａ，１０ｂを介してネジ止めされるが、ベース側縁に沿設している凸部２３ａ，２３ｂが連結片１０ａ，１０ｂの底面に形成している凹部２４ａ，２４ｂに嵌合して位置決めされ、この状態でネジ止めされる。
【００２９】
そして、支持部２１の外側面から突出したガイドピン(図示なし)はガイド穴１９に嵌り、ロック部材９の基板外側面から突出したガイドピン２０はガイド穴２５に嵌ってロック部材９は位置決めガイドされる。又支持部２１に設けている軸２６にはスプリング２７が取付けられ、支持部２１とレール８ａの挟持板２２に挟まれたロック部材９の係止片１８に上記スプリング２７のバネ片２８が係止してバネ力を付勢することが出来る。従って、ロック部材９はバネ片２８のバネ力にて上方へ押上げられ、ツメ１６はサブトレイ３のコーナーに設けている係止穴２９に嵌って係止することが出来る。
【００３０】
図１１はロック部材９のツメ１６とサブトレイ３との関係を示している。
(ａ)はロック部材９が上昇してツメ１６ｂ，１６ｃがサブトレイ３ｂ，３ｃの係止穴２９ｂ，２９ｃに係止している場合である。
(ｂ)はロック部材９が降下してツメ１６ｂ，１６ｃがサブトレイ３ｂ，３ｃの係止穴２９ｂ，２９ｃから外れている場合である。
【００３１】
メイントレイ２と共にディスク交換位置に搬出されたサブトレイ３ｂ，３ｃはロック部材９のツメ１６ｂ，１６ｃが係止穴２９ｂ，２９ｃに係止することでロックされる。そして、メイントレイ２が待機位置へ後退した場合には、ロック部材９は押し下げられて、そのツメ１６ｂ，１６ｃはサブトレイ３ｂ，３ｃの係止穴２９ｂ，２９ｃから離脱する。ここで、サブトレイ３ａは図５に、図６に示すように待機位置及び再生位置に位置し、樹脂バネ１１ａにて位置決めされる。又、メイントレイ２が後退して同図(ｂ)に示すようにロック部材９が降下し、サブトレイ３ｂ，３ｃのロックが解除されるならば、樹脂バネ１１ｂ，１１ｃにて位置決めされる。
【００３２】
図１２は本体フレーム１を示しているが、メイントレイ２が出入りする入口コーナーにカム３０が設けられ、該カム３０に後退するメイントレイ２のロック部材９に設けているガイドピン２０が当って押し下げられる。その結果、ロック部材９のツメ１６はサブトレイ３の係止穴２９から外れてロックが解除される。逆に、メイントレイ２が搬出される際には、ガイドピン２０がカム３０から離れる為に、スプリング２７のバネ力にてロック部材９は押上げられて、ツメ１６はサブトレイ３の係止穴２９に係止してロックする。
【００３３】
図１３は前記図１１に相当し、(ａ)はメイントレイ２が搬出することで、スプリング２７のバネ力にてロック部材９が押上げられて、ツメ１６がサブトレイ３の係止穴２９に係止している場合を示している。(ｂ)はメイントレイ２が後退してロック部材９のガイドピン２０がカム３０に当って降下し、ツメ１６がサブトレイ３の係止穴２９から外れた場合を示している。
【図面の簡単な説明】
【００３４】
【図１】フレーム本体からメイントレイが一部搬出した場合。
【図２】ディスクチェンジャーの内部構造図。
【図３】メイントレイの具体例。
【図４】片側レールを分離したメイントレイ。
【図５】２枚のサブトレイを載せてメイントレイがディスク交換位置へ搬出した場合。
【図６】メイントレイが後退した場合。
【図７】サブトレイの具体例。
【図８】メイントレイに設けている樹脂バネ。
【図９】ロック部材の具体例。
【図１０】レールとロック部材とベースの展開図。
【図１１】(ａ)サブトレイがロックされている場合、(ｂ)サブトレイがロック解除された場合。
【図１２】本体フレームの入口に設けたカム。
【図１３】(ａ)サブトレイがロックされている場合、(ｂ)サブトレイがロック解除された場合。
【符号の説明】
【００３５】
１  本体フレーム
２  メイントレイ
３  サブトレイ
４  外周縁
５  トラバースユニット
６  ターンテーブル
７  ベース
８  レール
９  ロック部材
10  連結片
11  樹脂バネ
12  側面
13  凹溝
14  係合部
15  基板
16  ツメ
17  アーム
18  係止片
19  ガイド穴
20  ガイドピン
21  支持部
22  挟持板
23  凸部
24  凹部
25  ガイド穴
26  軸
27  スプリング
28  バネ片
29  係止穴
30  カム
【図１】
2005190550.tif 000003
【図２】
2005190550.tif 000004
【図３】
2005190550.tif 000005
【図４】
2005190550.tif 000006
【図５】
2005190550.tif 000007
【図６】
2005190550.tif 000008
【図７】
2005190550.tif 000009
【図８】
2005190550.tif 000010
【図９】
2005190550.tif 000011
【図１０】
2005190550.tif 000012
【図１１】
2005190550.tif 000013
【図１２】
2005190550.tif 000014
【図１３】
2005190550.tif 000015